(57)【特許請求の範囲】
【請求項１】
複数の携帯端末に、推薦すべきコンテンツを表す情報を含むレコメンドリストを通知する情報通信サーバであって、
複数の携帯端末から、該複数の携帯端末の複数の識別情報をそれぞれ受信する受信部と、
該受信部により受信された複数の識別情報に基づいて、前記複数の携帯端末の種別をそれぞれ識別する端末種別識別部と、
複数の携帯端末から送信される端末ログの各々に含まれるべき、携帯端末の種別と、該携帯端末により視聴されたコンテンツのコンテンツＩＤとを取得する取得部と、
該取得部により取得されたコンテンツＩＤに対応するコンテンツに使用されているコーデックを特定するコーデック特定部と、
前記取得部により取得されるべき複数の携帯端末の種別と、前記コーデック特定部により特定されるべきコーデックとを紐付けた端末種別・コーデック対応テーブルを作成する端末種別・コーデック対応テーブル作成部と、
該端末種別・コーデック対応テーブル作成部により作成された端末種別・コーデック対応テーブルに基づいて、前記端末種別識別部により識別された前記複数の携帯端末の種別の各々に対応するコーデックが使用されたコンテンツのコンテンツＩＤを含むレコメンドリストを作成するレコメンドリスト作成部と、
前記受信部により受信された端末識別情報に対応する携帯端末に、前記レコメンドリスト作成部により作成されたレコメンドリストを送信する送信部と
を有し、
前記受信部は、携帯端末から、該携帯端末の識別情報として、IMEIを受信し、
前記端末種別識別部は、前記IMEIに含まれるTACに基づいて、該携帯端末の種別を識別する、情報通信サーバ。
【請求項２】
複数の携帯端末に、推薦すべきコンテンツを表す情報を含むレコメンドリストを通知する情報通信サーバであって、
複数の携帯端末から、該複数の携帯端末の複数の識別情報をそれぞれ受信する受信部と、
該受信部により受信された複数の識別情報に基づいて、前記複数の携帯端末の種別をそれぞれ識別する端末種別識別部と、
複数の携帯端末から送信される端末ログの各々に含まれるべき、携帯端末の種別と、該携帯端末により視聴されたコンテンツのコンテンツＩＤとを取得する取得部と、
該取得部により取得されたコンテンツＩＤに対応するコンテンツに使用されているコーデックを特定するコーデック特定部と、
前記取得部により取得されるべき複数の携帯端末の種別と、前記コーデック特定部により特定されるべきコーデックとを紐付けた端末種別・コーデック対応テーブルを作成する端末種別・コーデック対応テーブル作成部と、
該端末種別・コーデック対応テーブル作成部により作成された端末種別・コーデック対応テーブルに基づいて、前記端末種別識別部により識別された前記複数の携帯端末の種別の各々に対応するコーデックが使用されたコンテンツのコンテンツＩＤを含むレコメンドリストを作成するレコメンドリスト作成部と、
前記受信部により受信された端末識別情報に対応する携帯端末に、前記レコメンドリスト作成部により作成されたレコメンドリストを送信する送信部と
を有し、
前記受信部は、携帯端末から、該携帯端末の識別情報として、IMEI-SVを受信し、
前記端末種別識別部は、前記IMEI-SVに含まれるTACに基づいて、該携帯端末の種別を識別する、情報通信サーバ。
【請求項３】
請求項１または２に記載の情報通信サーバにおいて、
前記端末種別識別部により識別されるべき複数の携帯端末の種別の各々と、ユーザＩＤを紐付けた端末種別・ユーザＩＤ対応テーブルを作成する端末種別・ユーザＩＤ対応テーブル作成部
を有し、
前記レコメンドリスト作成部は、前記端末種別・ユーザＩＤ対応テーブルに基づいて、ユーザＩＤに対応する携帯端末の種別に対応するコーデックが使用されたコンテンツのコンテンツＩＤを含むレコメンドリストを作成する、情報通信サーバ。
【請求項４】
請求項１または２に記載の情報通信サーバにおいて、
コンテンツに関するメタデータを管理するサーバから取得されるべきメタデータに基づいて、コンテンツと、該コンテンツに使用されているコーデックとの対応を表すコンテンツ・コーデック対応テーブルを作成するコンテンツ・コーデック対応テーブル作成部
を有し、
前記レコメンドリスト作成部は、前記コンテンツ・コーデック対応テーブル作成部により作成されたコンテンツ・コーデック対応テーブルに基づいて、前記端末種別識別部により識別された前記複数の携帯端末の種別の各々に対応するコーデックが使用されたコンテンツのコンテンツＩＤを含むレコメンドリストを作成する、情報通信サーバ。
【請求項５】
請求項１または２に記載の情報通信サーバにおいて、
複数の携帯端末から送信される端末ログの各々と、コンテンツに関するメタデータを管理するサーバから取得されるべきメタデータに基づいて、前記レコメンドリスト作成部により作成されるべきレコメンドリストに含まれるべきコンテンツの候補が含まれるレコメンド一次リストを作成するレコメンド一次リスト作成部
を有し、
前記レコメンドリスト作成部は、前記レコメンド一次リスト作成部により作成されたレコメンド一次リストに含まれるコンテンツから、前記端末種別識別部により識別された前記複数の携帯端末の種別の各々に対応するコーデックが使用されたコンテンツを選択する、情報通信サーバ。
【請求項６】
複数の携帯端末に、推薦すべきコンテンツを表す情報を含むレコメンドリストを通知する情報通信サーバにおける情報通信方法であって、
複数の携帯端末から、該複数の携帯端末の複数の識別情報をそれぞれ受信する受信ステップと、
該受信ステップにより受信された複数の識別情報に基づいて、前記複数の携帯端末の種別をそれぞれ識別する端末種別識別ステップと、
複数の携帯端末から送信される端末ログの各々に含まれるべき、携帯端末の種別と、該携帯端末により視聴されたコンテンツのコンテンツＩＤとを取得する取得ステップと、
該取得ステップにより取得されたコンテンツＩＤに対応するコンテンツに使用されているコーデックを特定するコーデック特定ステップと、
前記取得ステップにより取得されるべき複数の携帯端末の種別と、前記コーデック特定ステップにより特定されるべきコーデックとを紐付けた端末種別・コーデック対応テーブルに基づいて、前記端末種別識別ステップにより識別された前記複数の携帯端末の種別の各々に対応するコーデックが使用されたコンテンツのコンテンツＩＤを含むレコメンドリストを作成するレコメンドリスト作成ステップと、
前記受信ステップにより受信された端末識別情報に対応する携帯端末に、前記レコメンドリスト作成ステップにより作成されたレコメンドリストを送信する送信ステップと
を有し、
前記受信ステップでは、携帯端末から、該携帯端末の識別情報として、IMEIを受信し、
前記端末種別識別ステップでは、前記IMEIに含まれるTACに基づいて、該携帯端末の種別を識別する、情報通信方法。
【請求項７】
複数の携帯端末に、推薦すべきコンテンツを表す情報を含むレコメンドリストを通知する情報通信サーバにおける情報通信方法であって、
複数の携帯端末から、該複数の携帯端末の複数の識別情報をそれぞれ受信する受信ステップと、
該受信ステップにより受信された複数の識別情報に基づいて、前記複数の携帯端末の種別をそれぞれ識別する端末種別識別ステップと、
複数の携帯端末から送信される端末ログの各々に含まれるべき、携帯端末の種別と、該携帯端末により視聴されたコンテンツのコンテンツＩＤとを取得する取得ステップと、
該取得ステップにより取得されたコンテンツＩＤに対応するコンテンツに使用されているコーデックを特定するコーデック特定ステップと、
前記取得ステップにより取得されるべき複数の携帯端末の種別と、前記コーデック特定ステップにより特定されるべきコーデックとを紐付けた端末種別・コーデック対応テーブルに基づいて、前記端末種別識別ステップにより識別された前記複数の携帯端末の種別の各々に対応するコーデックが使用されたコンテンツのコンテンツＩＤを含むレコメンドリストを作成するレコメンドリスト作成ステップと、
前記受信ステップにより受信された端末識別情報に対応する携帯端末に、前記レコメンドリスト作成ステップにより作成されたレコメンドリストを送信する送信ステップと
を有し、
前記受信ステップでは、携帯端末から、該携帯端末の識別情報として、IMEI-SVを受信し、
前記端末種別識別ステップでは、前記IMEI-SVに含まれるTACに基づいて、該携帯端末の種別を識別する、情報通信方法。
【発明の詳細な説明】
【技術分野】
【０００１】
本発明は、無線通信システムに関する。
【背景技術】
【０００２】
モバイルマルチメディア放送では、放送波により、ユーザの携帯端末に、コンテンツが配信される。該コンテンツには、動画、音楽、電子書籍等が含まれる。コンテンツの配信には、ストリーミングによる配信と、ダウンロード型の配信とが含まれる。ダウンロード型の配信方法は、ファイルキャスティングとも呼ばれる。携帯端末に、コンテンツが録画されることもあるし、蓄積されることもある。ここで、「録画」という言葉は、ストリーミングコンテンツを、受信しながら携帯端末内あるいは携帯端末に接続された外部記憶媒体に保存すること、と定義される。「蓄積」という言葉は、ファイルキャスティングコンテンツを携帯端末内あるいは携帯端末に接続された外部記憶媒体に保存すること、と定義される。
【０００３】
ファイルキャスティングコンテンツについては、ユーザが携帯端末で、蓄積を完了したコンテンツを再生し、視聴する。ストリーミングコンテンツについては、放送されている時刻に視聴したり、予め録画されたコンテンツについて再生し、視聴したりすることができる。コンテンツには無料のものもあれば、有料のものも存在する。また、ファイルキャスティング、ストリーミングともに、放送される時間は予め決まっている。
【０００４】
さらに、モバイルマルチメディア放送では、携帯端末は、通信によりレコメンドリストを通信側のレコメンドサーバから取得することができる。該携帯端末は、レコメンドリストを表示することにより、ユーザにコンテンツを勧める。ここで、通信とは、携帯端末が、移動体通信ネットワークを介して送信された電波を受信することである。また、レコメンドリストには、勧めるべきコンテンツが記載されている。
【０００５】
図１は、モバイルマルチメディア放送の概要を示す。
【０００６】
モバイルマルチメディア放送を実現するシステムには、メタデータ管理サーバ１０が含まれる。メタデータ管理サーバ１０は、コンテンツのメタデータを管理する。該システムには、レコメンドサーバ３０が含まれる。レコメンドサーバ３０は、レコメンドすべきコンテンツを含むレコメンドリストを生成する。該システムには、通信基地局３５が含まれる。通信基地局３５は、レコメンドサーバ３０からのレコメンドリストを携帯端末２０に送信する。該システムには、コンテンツ配信サーバ４０が含まれる。コンテンツ配信サーバ４０は、コンテンツを配信する。該システムには、放送波基地局４５が含まれる。放送波基地局４５は、コンテンツ配信サーバ４０からのコンテンツを携帯端末２０に送信する。該システムには、携帯端末２０が含まれる。携帯端末２０は、通信基地局３５からのレコメンドリストと、放送波基地局４５からのコンテンツを受信する。
【０００７】
レコメンドサーバ３０は、メタデータ管理サーバ１０から、コンテンツ配信サーバ４０から放送されるコンテンツに関するメタデータ情報を予め取得する。レコメンドすべきコンテンツは、オペレータからの指定やレコメンドすべきコンテンツを選択するための所定の計算に基づいて決定される。
【０００８】
携帯端末２０は、レコメンドリストに含まれるコンテンツのうち、当該携帯端末２０に保存されたコンテンツについて、ユーザに対して視聴を勧めるようにしてもよい。また、携帯端末２０は、レコメンドリストに含まれるコンテンツのうち、未来（将来）に放送されるコンテンツについては、録画予約や蓄積予約を勧めるようにしてもよい。このようなレコメンド機能により、コンテンツ提供者、サービス提供者は、ユーザに、コンテンツ視聴の機会を増大させることができる。
【０００９】
モバイルマルチメディア放送では、携帯端末２０は、放送波経由で、放送波基地局４５から配信されるコンテンツを受信する。該コンテンツは、コンテンツ配信サーバ４０に格納されている。さらに、携帯端末２０は、通信基地局３５から送信されるレコメンドリストを取得する。該携帯端末２０は、放送波を受信するモジュール、及び通信網からの電波を受信するモジュールを共に備える。
【先行技術文献】
【特許文献】
【００１０】
【特許文献１】特表2010-526370号公報
【発明の概要】
【発明が解決しようとする課題】
【００１１】
携帯端末には様々な機種がある。該機種により対応している動画コーデックが異なることがある。
【００１２】
レコメンドサーバ３０は、レコメンドリストを生成する際に、レコメンドリストの提供先となる携帯端末の機種については考慮しない。従って、レコメンドサーバ３０により提供されるレコメンドリストに含まれるコンテンツには、提供先となる携帯端末では対応していないコーデックで符号化処理されている動画が含まれることもある。
【００１３】
ユーザがレコメンドリストに含まれるコンテンツを選択することにより、該コンテンツが携帯端末に記憶される。しかし、該コンテンツは、該携帯端末では対応していないコーデックで処理されていることもあり、該携帯端末では復号処理できない場合もある。
【００１４】
該携帯端末では復号処理できないコンテンツを取得した場合、該携帯端末では再生できないコンテンツが保存されることになるため、携帯端末の記憶領域を不必要に使用することになる。また、ユーザに対しては、レコメンドに従って、コンテンツを選択したにも関わらず再生できないことによりストレスを与えることになる。換言すれば、サービス品質の劣化が生じる。
【００１５】
そこで、本発明は上述した問題点に鑑みてなされたものであり、携帯端末に、該携帯端末により利用できるコンテンツを含むレコメンドリストを提供することを目的とする。
【課題を解決するための手段】
【００１６】
本情報通信サーバは、
複数の携帯端末に、推薦すべきコンテンツを表す情報を含むレコメンドリストを通知する情報通信サーバであって、
複数の携帯端末から、該複数の携帯端末の複数の識別情報をそれぞれ受信する受信部と、
該受信部により受信された複数の識別情報に基づいて、前記複数の携帯端末の種別をそれぞれ識別する端末種別識別部と、
複数の携帯端末から送信される端末ログの各々に含まれるべき、携帯端末の種別と、該携帯端末により視聴されたコンテンツのコンテンツＩＤとを取得する取得部と、
該取得部により取得されたコンテンツＩＤに対応するコンテンツに使用されているコーデックを特定するコーデック特定部と、
前記取得部により取得されるべき複数の携帯端末の種別と、前記コーデック特定部により特定されるべきコーデックとを紐付けた端末種別・コーデック対応テーブルを作成する端末種別・コーデック対応テーブル作成部と、
該端末種別・コーデック対応テーブル作成部により作成された端末種別・コーデック対応テーブルに基づいて、前記端末種別識別部により識別された前記複数の携帯端末の種別の各々に対応するコーデックが使用されたコンテンツのコンテンツＩＤを含むレコメンドリストを作成するレコメンドリスト作成部と、
前記受信部により受信された端末識別情報に対応する携帯端末に、前記レコメンドリスト作成部により作成されたレコメンドリストを送信する送信部と
を有し、
前記受信部は、携帯端末から、該携帯端末の識別情報として、IMEIを受信し、
前記端末種別識別部は、前記IMEIに含まれるTACに基づいて、該携帯端末の種別を識別する。
本情報通信サーバは、
複数の携帯端末に、推薦すべきコンテンツを表す情報を含むレコメンドリストを通知する情報通信サーバであって、
複数の携帯端末から、該複数の携帯端末の複数の識別情報をそれぞれ受信する受信部と、
該受信部により受信された複数の識別情報に基づいて、前記複数の携帯端末の種別をそれぞれ識別する端末種別識別部と、
複数の携帯端末から送信される端末ログの各々に含まれるべき、携帯端末の種別と、該携帯端末により視聴されたコンテンツのコンテンツＩＤとを取得する取得部と、
該取得部により取得されたコンテンツＩＤに対応するコンテンツに使用されているコーデックを特定するコーデック特定部と、
前記取得部により取得されるべき複数の携帯端末の種別と、前記コーデック特定部により特定されるべきコーデックとを紐付けた端末種別・コーデック対応テーブルを作成する端末種別・コーデック対応テーブル作成部と、
該端末種別・コーデック対応テーブル作成部により作成された端末種別・コーデック対応テーブルに基づいて、前記端末種別識別部により識別された前記複数の携帯端末の種別の各々に対応するコーデックが使用されたコンテンツのコンテンツＩＤを含むレコメンドリストを作成するレコメンドリスト作成部と、
前記受信部により受信された端末識別情報に対応する携帯端末に、前記レコメンドリスト作成部により作成されたレコメンドリストを送信する送信部と
を有し、
前記受信部は、携帯端末から、該携帯端末の識別情報として、IMEI-SVを受信し、
前記端末種別識別部は、前記IMEI-SVに含まれるTACに基づいて、該携帯端末の種別を識別する。
【００１７】
本情報通信方法は、
複数の携帯端末に、推薦すべきコンテンツを表す情報を含むレコメンドリストを通知する情報通信サーバにおける情報通信方法であって、
複数の携帯端末から、該複数の携帯端末の複数の識別情報をそれぞれ受信する受信ステップと、
該受信ステップにより受信された複数の識別情報に基づいて、前記複数の携帯端末の種別をそれぞれ識別する端末種別識別ステップと、
複数の携帯端末から送信される端末ログの各々に含まれるべき、携帯端末の種別と、該携帯端末により視聴されたコンテンツのコンテンツＩＤとを取得する取得ステップと、
該取得ステップにより取得されたコンテンツＩＤに対応するコンテンツに使用されているコーデックを特定するコーデック特定ステップと、
前記取得ステップにより取得されるべき複数の携帯端末の種別と、前記コーデック特定ステップにより特定されるべきコーデックとを紐付けた端末種別・コーデック対応テーブルに基づいて、前記端末種別識別ステップにより識別された前記複数の携帯端末の種別の各々に対応するコーデックが使用されたコンテンツのコンテンツＩＤを含むレコメンドリストを作成するレコメンドリスト作成ステップと、
前記受信ステップにより受信された端末識別情報に対応する携帯端末に、前記レコメンドリスト作成ステップにより作成されたレコメンドリストを送信する送信ステップと
を有し、
前記受信ステップでは、携帯端末から、該携帯端末の識別情報として、IMEIを受信し、
前記端末種別識別ステップでは、前記IMEIに含まれるTACに基づいて、該携帯端末の種別を識別する。
本情報通信方法は、
複数の携帯端末に、推薦すべきコンテンツを表す情報を含むレコメンドリストを通知する情報通信サーバにおける情報通信方法であって、
複数の携帯端末から、該複数の携帯端末の複数の識別情報をそれぞれ受信する受信ステップと、
該受信ステップにより受信された複数の識別情報に基づいて、前記複数の携帯端末の種別をそれぞれ識別する端末種別識別ステップと、
複数の携帯端末から送信される端末ログの各々に含まれるべき、携帯端末の種別と、該携帯端末により視聴されたコンテンツのコンテンツＩＤとを取得する取得ステップと、
該取得ステップにより取得されたコンテンツＩＤに対応するコンテンツに使用されているコーデックを特定するコーデック特定ステップと、
前記取得ステップにより取得されるべき複数の携帯端末の種別と、前記コーデック特定ステップにより特定されるべきコーデックとを紐付けた端末種別・コーデック対応テーブルに基づいて、前記端末種別識別ステップにより識別された前記複数の携帯端末の種別の各々に対応するコーデックが使用されたコンテンツのコンテンツＩＤを含むレコメンドリストを作成するレコメンドリスト作成ステップと、
前記受信ステップにより受信された端末識別情報に対応する携帯端末に、前記レコメンドリスト作成ステップにより作成されたレコメンドリストを送信する送信ステップと
を有し、
前記受信ステップでは、携帯端末から、該携帯端末の識別情報として、IMEI-SVを受信し、
前記端末種別識別ステップでは、前記IMEI-SVに含まれるTACに基づいて、該携帯端末の種別を識別する。
【発明の効果】
【００１８】
開示の実施例によれば、携帯端末に、該携帯端末により利用できるコンテンツを含むレコメンドリストを提供できる。
【図面の簡単な説明】
【００１９】
【図１】通信システムの一例を示す図である。
【図２】本実施例に従った通信システムの一例を示す図である。
【図３】本実施例に従ったレコメンドサーバを示す機能ブロック図である。
【図４】本実施例に従った機種・ユーザＩＤ対応テーブルの一例を示す図である。
【図５】本実施例に従った視聴ログの一例を示す図である。
【図６】本実施例に従ったレコメンド一次リスト（その１）の一例を示す図である。
【図７】本実施例に従ったレコメンド一次リスト（その２）の一例を示す図である。
【図８】本実施例に従ったコンテンツ・コーデック対応テーブル一例を示す図である。
【図９】本実施例に従った機種・コーデック対応テーブルの一例を示す図である。
【図１０】本実施例に従ったレコメンドリスト（その１）の一例を示す図である。
【図１１】本実施例に従ったレコメンドリスト（その２）の一例を示す図である。
【図１２】本実施例に従ったレコメンドリスト（その３）の一例を示す図である。
【図１３】本実施例に従ったメタデータの一例を示す図である。
【図１４】本実施例に従った機種・コンテンツ・コーデック対応テーブルの一例を示す図である。
【図１５】本実施例に従った携帯端末を示す機能ブロック図である。
【図１６】本実施例に従ったレコメンドサーバの動作の一例を示すフローチャートである。
【図１７】本実施例に従った携帯端末の動作の一例を示すフローチャートである。
【発明を実施するための形態】
【００２０】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２１】
＜実施例＞
＜通信システム＞
図２は、本実施例に従った通信システムの概要を示す。
【００２２】
本通信システムは、メタデータ管理サーバ１００を有する。メタデータ管理サーバ１００は、コンテンツに関するメタデータ情報を管理する。
【００２３】
本通信システムは、レコメンドサーバ３００を有する。レコメンドサーバ３００は、メタデータ管理サーバ１００と接続される。例えば、通信網（図示無し）を介して接続されてもよい。該通信網にはインターネットが含まれてもよい。該レコメンドサーバ３００は、メタデータ管理サーバ１００から、コンテンツ配信サーバ４００から放送されるコンテンツに関するメタデータを取得する。該レコメンドサーバ３００は、レコメンドすべきコンテンツを決定する。例えば、レコメンドすべきコンテンツの条件は、オペレータにより指定されてもよい。また、レコメンドすべきコンテンツは、レコメンドすべきコンテンツを選択するための所定の計算（演算）に基づいて決定されてもよい。該レコメンドサーバ３００は、通信基地局３５０を介して、レコメンドすべきコンテンツが含まれるレコメンドリストを送信する。
【００２４】
本通信システムは、通信基地局３５０を有する。該通信基地局３５０は、レコメンドサーバ３００と接続される。該通信基地局３５０は、レコメンドサーバ３００と接続される。例えば、通信網（図示無し）を介して接続されてもよい。該通信網にはインターネット、移動体通信網が含まれてもよい。該通信基地局３５０は、携帯端末２００に、レコメンドサーバ３００からのレコメンドリストを無線送信する。
【００２５】
本通信システムは、コンテンツ配信サーバ４００を有する。該コンテンツ配信サーバ４００は、メタデータ管理サーバ１００と接続される。例えば、通信網（図示無し）を介して接続されてもよい。該通信網にはインターネットが含まれてもよい。該コンテンツ配信サーバ４００は、配信すべきコンテンツを格納する。該コンテンツ配信サーバ４００は、コンテンツを配信する。
【００２６】
本通信システムは、放送波基地局４５０を有する。該放送波基地局４５０は、コンテンツ配信サーバ４００と接続される。例えば、通信網（図示無し）を介して接続されてもよい。該通信網にはインターネットが含まれてもよい。該放送波基地局４５０は、携帯端末２００ｎ（ｎは、ｎ＞０の整数）に、コンテンツ配信サーバ４００からのコンテンツを配信する。
【００２７】
本通信システムは、携帯端末２００ｎを有する。該携帯端末２００ｎは、通信基地局３５０により無線送信されるべきレコメンドリストと、放送波基地局４５０により配信されるべきコンテンツとを受信する。図２には、一例として、ｎ＝３の場合について示される。例えば、携帯端末２００１の国際移動体装置識別番号(IMEI: International Mobile Equipment Identity)は「12345678xxxxxxc」であり、携帯端末２００２のIMEIは「23456789yyyyyyd」であり、携帯端末２００３のIMEIは「12345678zzzzzze」である。IMEIの最初の８文字はタイプアロケーションコード(TAC: Type Allocation Code)と呼ばれる。TACは、機種と製造元とを示す。本実施例では、一例として、IMEIに含まれるTACを利用して、携帯端末の機種を識別する場合について説明する。機種を識別するための情報としてはIMEIに含まれるTACに限らず、国際移動体装置識別番号−ソフトウェアバージョン(IMEI-SV(Software Version) に含まれるTACが利用されてもよい。また、これ以外の識別子が利用されてもよい。
【００２８】
＜レコメンドサーバ＞
図３は、本レコメンドサーバ３００の一例を示す。
【００２９】
本レコメンドサーバ３００は、無線通信処理部３０１を有する。該無線通信処理部３０１には、携帯端末２００ｎからの、端末ログ、ユーザID、IMEIが入力される。また、該無通信処理部３０１には、レコメンド取得要求が入力される。該端末ログには、該端末ログを送信した携帯端末により取得されるべきログ情報が含まれる。該ログ情報には、視聴されたコンテンツを表す情報、保存されたコンテンツを表す情報、予約されたコンテンツを表す情報が含まれる。
【００３０】
該無線通信処理部３０１は、レコメンド計算部３０５に、端末ログを入力する。
【００３１】
該無線通信処理部３０１は、端末ログに含まれるべき視聴ログを取得する。例えば、端末ログには、所定の処理が行われたコンテンツに対応するコンテンツIDと、該コンテンツに対して行われた処理内容とが対応付けられたものが含まれてもよい。該処理内容には、視聴、予約、保存予約が含まれてもよい。視聴ログには、端末ログを送信した携帯端末により取得されるべき、視聴されたコンテンツを表す情報が含まれる。該無線通信処理部３０１は、各端末情報管理部３０３に、ユーザID、IMEI、視聴ログを入力する。
【００３２】
図４は、携帯端末の機種と、該携帯端末のユーザを表すユーザIDとの対応を示すテーブル（以下、「機種・ユーザＩＤ対応テーブル」という）の一例を示す。例えば、無線通信処理部３０１は、携帯端末からのユーザIDと、IMEIとに基づいて、機種・ユーザＩＤ対応テーブルを作成するようにしてもよい。図４に示される例では、ユーザIDが「aaa@ppp.qq」により表されるユーザは機種「123456」により表される携帯端末２００１を使用し、ユーザIDが「bbb@ppp.qq」により表されるユーザは機種「234567」により表される携帯端末２００２と、機種「123456」により表される携帯端末２００３とを使用していることが示される。
【００３３】
図５は、視聴ログの一例を示す。視聴ログには、ユーザIDと、IMEIと、コンテンツIDとが対応付けられている。該コンテンツIDは、視聴されたコンテンツのIDである。図５に示される例では、ユーザIDが「aaa@ppp.qq」(<uid=aaa@ppp.qq>)により表されるユーザにより使用される携帯端末２００１のIMEIは「12345678xxxxxxc」(<IMEI=12345678xxxxxxc>)である。さらに、携帯端末２００１により、コンテンツIDが「991」(content id = 991)、「769」(content id = 769)、及び「492」(content id = 492)により表されるコンテンツが視聴されたことが示される。ユーザIDが「bbb@ppp.qq」(<uid=bbb@ppp.qq>)により表されるユーザの携帯端末２００２のIMEIは「23456789yyyyyyd」(<IMEI=23456789yyyyyyd>)である。さらに、携帯端末２００２により、コンテンツIDが「991」(content id = 991)、及び「892」(content id = 892)により表されるコンテンツが視聴されたことが示される。ユーザIDが「bbb@ppp.qq」(<uid=bbb@ppp.qq>)により表されるユーザの携帯端末２００３のIMEIは「12345678zzzzzze」(<IMEI=12345678zzzzzze>)である。さらに、携帯端末２００３により、コンテンツIDが「549」(content id = 549)、及び「053」に(content id = 053)より表されるコンテンツが視聴されたことが示される。
【００３４】
該無線通信処理部３０１は、携帯端末２００ｎに、レコメンドリスト作成部３０２により入力されるべきレコメンドリストを送信する。
【００３５】
本レコメンドサーバ３００は、レコメンドリスト作成部３０２を有する。該レコメンドリスト作成部３０２は、無線通信処理部３０１と接続される。
【００３６】
該レコメンドリスト作成部３０２には、レコメンド一次リスト作成部３０４からレコメンド一次リストが入力される。
【００３７】
図６、図７は、レコメンド一次リストの例を示す。図６には、ユーザIDが「aaa@ppp.qq」により表されるユーザの携帯端末２００１に対するレコメンド一次リストが示される。図６に示される例では、ユーザIDが「aaa@ppp.qq」により表されるユーザに対しては、コンテンツIDが「123」、「492」、「925」、「219」、「769」、「053」、及び「413」により表されるコンテンツがレコメンドされる。図７には、ユーザIDが「bbb@ppp.qq」により表されるユーザの携帯端末２００２及び２００３に対するレコメンド一次リストが示される。図７に示される例では、ユーザIDが「bbb@ppp.qq」により表されるユーザに対しては、コンテンツIDが「821」、「359」、「991」、「413」、「925」、「219」、「769」、「549」、及び「023」により表されるコンテンツがレコメンドされる。
【００３８】
該レコメンドリスト作成部３０２は、コンテンツコーデックリスト管理部３０７により管理されるべき、コンテンツIDと、該コンテンツIDに対応するコンテンツの符号化処理に使用されているコーデックとを対応付けたテーブル（以下、「コンテンツ・コーデック対応テーブル」という）を参照する。
【００３９】
図８は、コンテンツ・コーデック対応テーブルの一例を示す。図８に示される例では、コーデックの例として、H.264、DivX5、WMV9、MPEG2、WMV8、DivX6が示されているが、H.264、DivX5、WMV9、MPEG2、WMV8、DivX6以外のコーデックが使用されたコンテンツに対しても適用できる。
【００４０】
該レコメンドリスト作成部３０２は、機種対応コーデックテーブル管理部３０８により管理されるべき、携帯端末の機種と、該携帯端末により対応可能なコーデックとの対応を示すテーブル（以下、「機種・コーデック対応テーブル」という）を参照する。
【００４１】
図９は、機種・コーデック対応テーブルの一例を示す。図９に示される例では、機種が「123456」により表される携帯端末により対応可能なコーデックは、「MPEG2」、「WMV8」、及び「DivX5」である。また、機種が「234567」により表される携帯端末により対応可能なコーデックは、「MPEG2」、及び「H.264」である。
【００４２】
該レコメンドリスト作成部３０２は、レコメンド一次リスト作成部３０４により入力されるべきレコメンド一次リストに基づいて、レコメンドリストを作成する。例えば、レコメンドリスト作成部３０２は、コンテンツコーデックリスト管理部３０７により管理されるべき、コンテンツ・コーデック対応テーブルを参照し、レコメンド一次リスト作成部３０４により入力されるべきレコメンド一次リストに含まれるコンテンツ毎に、該コンテンツの符号化処理に使用されているコーデックを特定する。
【００４３】
例えば、図８に示されるコンテンツ・コーデック対応テーブルから、図６に示されるユーザIDが「aaa@ppp.qq」により表される携帯端末２００１に対するレコメンド一次リストに含まれるコンテンツIDに対応するコンテンツ毎に、該コンテンツの符号化処理に使用されているコーデックを特定する。具体的には、コンテンツIDが「123」により表されるコンテンツに使用されているコーデックとして「H.264」が特定され、コンテンツIDが「492」により表されるコンテンツに使用されているコーデックとして「DivX5」が特定され、コンテンツIDが「925」により表されるコンテンツに使用されているコーデックとして「DivX6」が特定され、コンテンツIDが「219」により表されるコンテンツに使用されているコーデックとして「H.264」が特定され、コンテンツIDが「769」により表されるコンテンツに使用されているコーデックとして「WMV8」が特定され、コンテンツIDが「053」により表されるコンテンツに使用されているコーデックとして「DivX5」が特定され、コンテンツIDが「413」により表されるコンテンツに使用されているコーデックとして「WMV8」が特定される。
【００４４】
例えば、図８に示されるコンテンツ・コーデック対応テーブルから、図７に示されるユーザIDが「bbb@ppp.qq」により表される携帯端末２００２及び２００３対するレコメンド一次リストに含まれるコンテンツIDに対応するコンテンツ毎に、該コンテンツの符号化処理に使用されているコーデックを特定する。具体的には、コンテンツIDが「821」により表されるコンテンツに使用されているコーデックとして「H.264」が特定され、コンテンツIDが「359」により表されるコンテンツに使用されているコーデックとして「WMV9」が特定され、コンテンツIDが「991」により表されるコンテンツに使用されているコーデックとして「MPEG2」が特定され、コンテンツIDが「413」により表されるコンテンツに使用されているコーデック情報として「WMV8」が特定され、コンテンツIDが「925」により表されるコンテンツに使用されているコーデックとして「DivX6」が特定され、コンテンツIDが「219」により表されるコンテンツに使用されているコーデックとして「H.264」が特定され、コンテンツIDが「769」により表されるコンテンツに使用されているコーデックとして「WMV8」が特定され、コンテンツIDが「549」により表されるコンテンツに使用されているコーデックとして「WMV8」が特定され、コンテンツIDが「023」により表されるコンテンツに使用されているコーデックとして「H.264」が特定される。
【００４５】
該レコメンドリスト作成部３０２は、機種対応コーデックテーブル管理部３０８により管理されるべき、機種・コーデック対応テーブルを参照し、レコメンド一次リストに含まれるコンテンツ毎に特定されたコーデックのうち、レコメンドリストの提供先となるべき携帯端末の機種に対応するコーデックに対応するコンテンツを選択する。
【００４６】
該レコメンドリスト作成部３０２は、携帯端末毎に、レコメンド一次リストに含まれるコンテンツから、該コンテンツ毎に特定されたコーデックに基づいて、復号可能なコンテンツを抽出する。例えば、該レコメンドリスト作成部３０２は、図９に示される機種・コーデック対応テーブルに基づいて、レコメンド一次リストに含まれるコンテンツから、レコメンドリストの提供先となるべき携帯端末の機種により対応可能なコーデックを使用しているコンテンツを抽出する。
【００４７】
具体的には、ユーザIDが「aaa@ppp.qq」により表される携帯端末２００１の機種は、図４より「123456」である。図９から、機種が「123456」により表される携帯端末が対応可能なコーデックは「MPEG2」、「WMV8」、及び「DivX5」である。該レコメンドリスト作成部３０２は、ユーザIDが「aaa@ppp.qq」により表される携帯端末２００１に対応するレコメンド一次リスト（図６）に含まれるコンテンツIDに対応するコンテンツのうち、該コンテンツに使用されているコーデック情報が「MPEG2」、「WMV8」、及び「DivX5」であるものを抽出する。
【００４８】
図１０は、レコメンドリスト（その１）の一例を示す。図１０には、ユーザIDが「aaa@ppp.qq」により表される携帯端末２００１に対するレコメンドリストが示される。ユーザIDが「aaa@ppp.qq」により表される携帯端末２００１に対応するレコメンド一次リスト（図６）に含まれるコンテンツのうち、該コンテンツに利用されているコーデック情報が「MPEG2」、「WMV8」、及び「DivX5」であるものを抽出した結果、コンテンツIDが「492」、「769」、「053」、及び「413」であるコンテンツが抽出される。
【００４９】
また、ユーザIDが「bbb@ppp.qq」により表される携帯端末２００２の機種は、図４より「234567」である。図９から、機種が「234567」により表される携帯端末が対応可能なコーデックは「MPEG2」、及び「H.264」である。該レコメンドリスト作成部３０２は、ユーザIDが「bbb@ppp.qq」により表される携帯端末２００２に対応するレコメンド一次リスト（図７）に含まれるコンテンツIDに含まれるコンテンツのうち、該コンテンツに利用されているコーデック情報が「MPEG2」、及び「H.264」であるものを抽出する。
【００５０】
図１１は、レコメンドリスト（その２）の一例を示す。図１１には、ユーザIDが「bbb@ppp.qq」により表される携帯端末２００２に対するレコメンドリストが示される。ユーザIDが「bbb@ppp.qq」により表される携帯端末２００２に対応するレコメンド一次リスト（図７）に含まれるコンテンツIDに含まれるコンテンツのうち、該コンテンツに利用されているコーデック情報が「MPEG2」、及び「H.264」であるものを抽出した結果、コンテンツIDが「821」、「991」、「219」、及び「023」であるコンテンツが抽出される。
【００５１】
ユーザIDが「bbb@ppp.qq」により表される携帯端末２００３の機種は、図４より「123456」である。図９から、機種が「123456」により表される携帯端末が対応可能なコーデックは「MPEG2」、「WMV8」、及び「DivX5」である。該レコメンドリスト作成部３０２は、ユーザIDが「bbb@ppp.qq」により表される携帯端末２００３に対応するレコメンド一次リスト（図７）に含まれるコンテンツIDに含まれるコンテンツのうち、該コンテンツに利用されているコーデック情報が「MPEG2」、「WMV8」、及び「DivX5」であるものを抽出する。
【００５２】
図１２は、レコメンドリスト（その３）の一例を示す。図１２には、ユーザIDが「bbb@ppp.qq」により表される携帯端末２００３に対するレコメンドリストが示される。ユーザIDが「bbb@ppp.qq」により表される携帯端末２００３に対応するレコメンド一次リスト（図７）に含まれるコンテンツIDに含まれるコンテンツのうち、該コンテンツに利用されているコーデック情報が「MPEG2」、「WMV8」、及び「DivX5」であるものを抽出した結果、コンテンツIDが「991」、「413」、「769」、及び「549」であるコンテンツが抽出される。
【００５３】
レコメンドリスト作成部３０２は、無線通信処理部３０１に、レコメンドリストを入力する。
【００５４】
本レコメンドサーバ３００は、各端末情報管理部３０３を有する。該各端末情報管理部３０３は、無線通信処理部３０１と接続される。該各端末情報管理部３０３には、無線通信処理部３０１から、IMEIと、視聴ログとが入力される。該各端末情報管理部３０３に、ユーザIDが入力されてもよい。該各端末情報管理部３０３は、視聴ログに基づいて、携帯端末の機種と、該携帯端末により視聴されたコンテンツとを対応付ける。具体的には、携帯端末の機種と、コンテンツのコンテンツIDとを対応付ける。該各端末情報管理部３０３は、機種対応コーデックテーブル管理部３０８に、携帯端末の機種と、該携帯端末により視聴されたコンテンツのコンテンツIDとの対応を入力する。
【００５５】
本レコメンドサーバ３００は、レコメンド計算部３０５を有する。該レコメンド計算部３０５は、無線通信処理部３０１と、有線通信処理部３０６と接続される。該レコメンド計算部３０５には、無線通信処理部３０１から、端末ログが入力される。該端末ログには、該端末ログを送信した携帯端末により取得されるべきログ情報が含まれる。該ログ情報には、視聴されたコンテンツを表す情報、保存されたコンテンツを表す情報、予約されたコンテンツを表す情報が含まれる。該レコメンド計算部３０５には、有線通信処理部３０６から、メタデータが入力される。
【００５６】
図１３は、メタデータの一例を示す。図１３によれば、メタデータには、コンテンツID(<content id>)と、コンテンツの概要(<synopsis>)と、該コンテンツに利用されているコーデックを表す情報(<content codec>)とが含まれる。
【００５７】
レコメント計算部３０５は、無線通信処理部３０１から入力されるべき端末ログと、有線通信処理部３０６により入力されるべきメタデータとに基づいて、レコメンドすべきコンテンツを選択する際に使用する指標を求める。該レコメンド計算部３０５は、レコメンド一次リスト作成部３０４に、レコメンド計算結果（指標）を表す情報を入力する。
【００５８】
本レコメンドサーバ３００は、レコメンド一次リスト作成部３０４を有する。該レコメンド一次リスト作成部３０４は、レコメンドリスト作成部３０２と、レコメンド計算部３０５と、接続される。該レコメンド一次リスト作成部３０４は、レコメンド計算部３０５により入力されるべきレコメンド計算結果に基づいて、レコメンドすべきコンテンツを選択する。該レコメンド一次リスト作成部３０４は、レコメンドリスト作成部３０２に、選択されたコンテンツのコンテンツIDを含むレコメンド一次リストを入力する。
【００５９】
本レコメンドサーバ３００は、有線通信処理部３０６を有する。該有線通信処理部３０６は、レコメンド計算部３０５、コンテンツコーデックリスト管理部３０７、及び機種対応コーデックテーブル管理部３０８と接続される。該有線通信処理部３０６には、メタデータ管理サーバ１００から、メタデータが入力される。該有線通信処理部３０６は、レコメンド計算部３０５、機種対応コーデックテーブル管理部３０８，及びコンテンツコーデックリスト管理部３０７に、メタデータを入力する。
【００６０】
本レコメンドサーバ３００は、コンテンツコーデックリスト管理部３０７を有する。コンテンツコーデックリスト管理部３０７は、レコメンドリスト作成部３０２と接続される。コンテンツコーデックリスト管理部３０７は、有線通信処理部３０６により入力されるべきメタデータから、コンテンツ・コーデック対応テーブルを作成する。例えば、図１３に示されるメタデータから、コンテンツIDと、該コンテンツID に対応するコンテンツに使用されているコーデックを抽出することにより、図８に示されるコンテンツ・コーデック対応テーブルを作成する。該コンテンツコーデックリスト管理部３０７は、コンテンツ・コーデック対応テーブルを管理する。
【００６１】
本レコメンドサーバ３００は、機種対応コーデックテーブル管理部３０８を有する。該機種対応コーデックテーブル管理部３０８は、各端末情報管理部３０３、及びレコメンドリスト作成部３０２と接続される。該機種対応コーデックテーブル管理部３０８は、各端末情報管理部３０３により管理されるべき、携帯端末の機種と、該携帯端末により視聴されたコンテンツのコンテンツIDとの対応と、有線通信処理部３０６により入力されるべき、メタデータとに基づいて、携帯端末の機種と、該携帯端末により視聴されたコンテンツのコンテンツIDと、該コンテンツに使用されているコーデックとを対応付けたテーブル（以下、「機種・コンテンツ・コーデック対応テーブル」という）を作成する。
【００６２】
図１４は、機種・コンテンツ・コーデック対応テーブルの一例を示す。機種対応コーデックテーブル管理部３０８には、各端末情報管理部３０３により、携帯端末の機種と、該携帯端末により視聴されたコンテンツのコンテンツIDとの対応が入力される。また、機種対応コーデックテーブル管理部３０８は、有線通信処理部３０６からのメタデータに基づいて、コンテンツIDと、該コンテンツIDに対応するコンテンツに利用されているコーデックとを対応付ける。該機種対応コーデックテーブル管理部３０８は、携帯端末の機種と、該携帯端末により視聴されたコンテンツのコンテンツIDとの対応と、コンテンツIDと、該コンテンツIDに対応するコンテンツに利用されているコーデックとを関連づけることにより、機種・コンテンツ・コーデック対応テーブルを作成する。該機種対応コーデックテーブル管理部３０８は、機種・コンテンツ・コーデック対応テーブルを管理する。
【００６３】
＜携帯端末＞
図１５は、本携帯端末２００ｎの一例を示す。
【００６４】
本携帯端末２００ｎは、放送波受信部２０１を有する。該放送波受信部２０１は、放送波基地局４５０により放送されるべきコンテンツを受信する。該放送波受信部２０１は、コンテンツ管理部２０２に、受信したコンテンツを入力する。また、該放送波受信部２０１には、予約制御部２０３から起動予約を表す情報が入力される。起動予約を表す情報が入力された場合、該起動予約に従って、該当するコンテンツを受信する。
【００６５】
本携帯端末２００ｎは、コンテンツ管理部２０２を有する。該コンテンツ管理部２０２は、放送波受信部２０１と接続される。コンテンツ管理部２０２は、放送波受信部２０１により入力されるべきコンテンツを取得し、格納する。該コンテンツ管理部２０２は、コンテンツ再生部２０６からのコンテンツ取得要求に応じて、該コンテンツ再生部２０６に、該当するコンテンツを入力する。また、コンテンツ管理部２０２は、UI制御部２０７から削除指令が入力された場合、該削除指令に従って、該当するコンテンツを削除する。また、コンテンツ管理部２０２は、端末ログ管理部２０８に、コンテンツの保存状態を表す情報を入力する。
【００６６】
本携帯端末２００ｎは、予約制御部２０３を有する。該予約管理部２０３は、放送波受信部２０１と接続される。該予約制御部２０３は、UI制御部２０７からの予約指令に従って、放送波受信部２０１に、起動予約を入力する。該起動予約により起動する日時が設定されてもよい。また、該予約制御部２０３は、放送波受信部２０１に、起動予約を入力した際に、端末ログ管理部２０８に、予約ログを入力する。
【００６７】
本携帯端末２００ｎは、レコメンド情報管理部２０４を有する。レコメンド情報管理部２０４には、通信処理部２０５からレコメンドリストが入力される。レコメンド情報管理部２０４は、UI制御部２０７に、通信処理部２０５から入力されたレコメンドリストを入力する。
【００６８】
本携帯端末２００ｎは、通信処理部２０５を有する。該通信処理部２０５は、レコメンド情報管理部２０４と接続される。該通信処理部２０５には、通信基地局３５０からのレコメンドリストが入力される。該通信処理部２０５は、レコメンド情報管理部２０４に、該レコメンドリストを入力する。該通信処理部２０５には、端末ログ管理部２０８から、端末ログ、レコメンド取得要求が入力される。該通信処理部２０５は、端末ログ管理部２０８により入力されるべき端末ログ、レコメンド取得要求を、通信基地局３５０を介して、レコメントサーバ３００に送信する。また、該通信処理部２０５は、ユーザID、IMEIを、通信基地局３５０を介して、レコメントサーバ３００に送信する。
【００６９】
本携帯端末２００ｎは、コンテンツ再生部２０６を有する。該コンテンツ再生部２０６は、コンテンツ管理部２０２と接続される。該コンテンツ再生部２０６は、UI制御部２０７により入力されるべき再生指令に応じて、コンテンツ管理部２０２に、該当するコンテンツを取得するためのコンテンツ取得要求を行う。また、コンテンツ再生部２０６は、コンテンツ取得要求に応じてコンテンツ管理部２０２により入力されるべきコンテンツを再生し、再生信号として、UI制御部２０７に入力する。また、コンテンツ再生部２０６は、端末ログ管理部２０８に、コンテンツを再生したことを表す再生ログを入力する。
【００７０】
本携帯端末２００ｎは、UI制御部２０７を有する。該UI制御部２０７は、コンテンツ再生部２０６と、コンテンツ管理部２０２と、予約制御部２０３と接続される。UI制御部２０７には、レコメンド情報管理部２０４から、レコメンドされたコンテンツを表す情報が入力される。該UI制御部２０７は、表示画面（図示無し）に、レコメンド情報管理部２０４からのレコメンドされたコンテンツを表す情報を表示する。また、UI制御部２０７は、操作部（図示なし）から操作信号が入力される。該操作信号がコンテンツの再生を表す信号である場合、UI制御部２０７は、コンテンツ再生部２０６に、再生指令を入力する。該操作信号がコンテンツの削除を表す信号である場合、UI制御部２０７は、コンテンツ管理部２０２に、削除指令を入力する。該操作信号がコンテンツの予約を表す信号である場合、UI制御部２０７は、予約制御部２０３に、予約指令を入力する。該操作信号がレコメントリストの取得を要求することを表す信号である場合、UI制御部２０７は、端末ログ管理部２０８に、レコメンドリストを取得することを要求することを表すレコメンド取得要求を入力する。また、UI制御部２０７は、表示画面に、コンテンツ再生部２０６により入力されるべき再生信号を入力する。
【００７１】
本携帯端末２００ｎは、端末ログ管理部２０８を有する。該端末ログ管理部２０８は、UI制御部２０７と、コンテンツ管理部２０２と、予約制御部２０３と、通信処理部２０５と接続される。該端末ログ管理部２０８には、コンテンツ管理部２０２からコンテンツ保存状態を表す情報が入力される。該端末ログ管理部２０８には、予約制御部２０３から予約ログを表す情報が入力される。該端末ログ管理部２０８には、UI制御部２０７からレコメンド取得要求が入力される。端末ログ管理部２０８は、UI制御部２０７からのレコメンド取得要求に従って、レコメンド取得要求を生成し、通信処理部２０５に入力する。
【００７２】
＜レコメンドサーバの動作＞
図１６は、本レコメンドサーバ３００の動作の一例を示すフローチャートである。
【００７３】
本レコメンドサーバ３００は、携帯端末２００ｎから、端末ログを取得したかどうかを判定する（ステップＳ１６０２）。例えば、無線通信処理部３０１は、携帯端末２００ｎからの端末ログが入力されたかどうかを判定する。
【００７４】
端末ログが入力されないと判定された場合（ステップＳ１６０２：ＮＯ）、ステップＳ１６０２に戻る。端末ログが入力されるまで、端末ログが入力されたかどうかを判定する処理を継続する。
【００７５】
端末ログが入力されたと判定された場合（ステップＳ１６０２：ＹＥＳ）、本レコメンドサーバ３００は、携帯端末の機種と、ユーザIDとの対応が更新されているかどうかを判定する（ステップＳ１６０４）。例えば、無線通信処理部３０１は、端末ログとともに取得されるべきユーザIDと、IMEIとの対応が、当該無線通信処理部３０１により管理されるべき、機種・ユーザＩＤ対応テーブルと異なっているかどうかを判定する。また、無線通信処理部３０１は、携帯端末２００ｎによりユーザIDと、IMEIとが送信された場合、該送信されたユーザIDと、IMEIとの対応が、当該無線通信処理部３０１により管理されるべき、機種・ユーザＩＤ対応テーブルと異なっているかどうかを判定するようにしてもよい。
【００７６】
異なっていると判定された場合（ステップＳ１６０４：ＹＥＳ）、本レコメンドサーバ３００は、機種・ユーザＩＤ対応テーブルを更新する（ステップＳ１６０６）。例えば、無線通信処理部３０１は、ステップＳ１６０２により取得された端末ログとともに取得されるべき、ユーザIDと、IMEIとの対応に基づいて、機種・ユーザＩＤ対応テーブルを更新する。
【００７７】
ステップＳ１６０６により機種・ユーザＩＤ対応テーブルが更新された後、及びステップＳ１６０４により異なっていると判定されない場合（ステップＳ１６０４：ＮＯ）、本レコメンドサーバ３００は、視聴ログに基づいて、機種・コンテンツ・コーデック対応テーブルを作成する（ステップＳ１６０８）。例えば、無線通信処理部３０１は、端末ログに基づいて視聴ログを作成し、各端末情報管理部３０３に入力する。各端末情報管理部３０３は、無線通信処理部３０１により入力されるべき視聴ログに基づいて、携帯端末の機種と、該携帯端末により視聴されたコンテンツのコンテンツIDとの対応を求め、機種対応コーデックテーブル管理部３０８に入力する。該機種対応コーデックテーブル管理部３０８は、携帯端末の機種と、該携帯端末により視聴されたコンテンツのコンテンツIDとの対応と、有線通信処理部３０６により入力されるべき、メタデータとに基づいて、機種・コンテンツ・コーデック対応テーブルを作成する。
【００７８】
本レコメンドサーバ３００は、レコメンド計算を行う（ステップＳ１６１０）。例えば、レコメンド計算部３０５は、無線通信処理部３０１から入力されるべき端末ログと、有線通信処理部３０６により入力されるべきメタデータとに基づいて、レコメンドすべきコンテンツを選択する際に使用する指標を求める。
【００７９】
本レコメンドサーバ３００は、レコメンド一次リストを作成する（ステップＳ１６１２）。例えば、レコメンド一次リスト作成部３０４は、レコメンド計算部３０５により入力されるべきレコメンド計算結果に基づいて、レコメンドすべきコンテンツを選択することにより、レコメンド一次リストを作成する。
【００８０】
本レコメンドサーバ３００は、コンテンツ一次リストに含まれるコンテンツの識別番号ｉを１に設定する（ステップＳ１６０４）。例えば、レコメンドリスト作成部３０２は、レコメンド一次リスト作成部３０４により入力されるべきレコメンド一次リストに含まれるコンテンツの識別番号を１に設定する。
【００８１】
本レコメンドサーバ３００は、ｉ＜Ｎ＋１であるかどうかを判定する（ステップＳ１６１６）。ここで、Ｎは、該レコメンド一次リスト長を表す。換言すれば、レコメンド一次リストに含まれるコンテンツの数であってもよい。
【００８２】
ｉ＜Ｎ＋１でないと判定された場合（ステップＳ１６１６：ＮＯ）、レコメンドリストを送信する（ステップＳ１６１８）。例えば、レコメンドリスト作成部３０２は、無線通信処理部３０１に、レコメンドリストを入力する。無線通信処理部３０１は、携帯端末に、レコメンドリスト作成部３０２からのレコメンドリストを送信する。例えば、携帯端末からのレコメンドリストを取得するためのレコメンド要求に応じて送信するようにしてもよい。
【００８３】
ｉ＜Ｎ＋１と判定された場合（ステップＳ１６１６：ＹＥＳ）、レコメンド一次リストに含まれるｉ番目のコンテンツのコーデックが対応しているかどうかを判定する（ステップＳ１６２０）。例えば、レコメンドリスト作成部３０２は、レコメンド一次リストに含まれるコンテンツのうち、ｉ番目のコンテンツのコーデックが機種・コーデック対応テーブルに基づいて、レコメンドリストの提供先となる携帯端末により対応可能なコーデックであるかどうかを判定する。
【００８４】
ステップＳ１６２０により対応していると判定されない場合（ステップＳ１６２０：ＮＯ）、レコメンド一次リストから、該ｉ番目のコンテンツを削除する（ステップＳ１６２２）。例えば、レコメンドリスト作成部３０２は、レコメンド一次リストに含まれるコンテンツのうち、ｉ番目のコンテンツのコーデックが、機種・コーデック対応テーブルに基づいて対応可能であるとされるコーデックに含まれない場合、コンテンツ一次リストから、該ｉ番目のコンテンツを削除する。
【００８５】
ステップＳ１６２０により対応していると判定される場合（ステップＳ１６２０：ＹＥＳ）、及びステップＳ１６２２により、コンテンツ一次リストからｉ番目のコンテンツが削除された後、ｉを１増加させ（ステップＳ１６２４）、ステップＳ１６１６に戻る。例えば、レコメンドリスト作成部３０２は、コンテンツの識別番号を表すｉを１増加させる。
【００８６】
＜携帯端末の動作＞
図１７は、本携帯端末２００の動作を示すフローチャートの一例である。
【００８７】
本携帯端末２００は、ユーザからレコメンド取得要求があったかどうかを判定する（ステップＳ１７０２）。該判定は定期的に実行されてもよいし、不定期に実行されてもよい。例えば、UI制御部２０７には、ユーザが操作部（図示無し）を操作することによりレコメンド取得要求を表す情報が入力される。UI制御部２０７は、該レコメンド取得要求が入力されたかどうかを判定する。
【００８８】
レコメンド取得要求が入力されたと判定された場合（ステップＳ１７０２：ＹＥＳ）、本携帯端末２００は、レコメンドサーバ３００に、レコメンド取得要求を送信する（ステップＳ１７０４）。例えば、UI制御部２０７は、端末ログ管理部２０８に、レコメンド取得要求を入力する。端末ログ管理部２０８は、レコメンド取得要求を通信処理部２０５に入力する。通信制御部２０５は、レコメンドサーバ３００に、端末ログ管理部２０８からのレコメンド取得要求を無線送信する。
【００８９】
本携帯端末２００は、レコメンド取得要求に応じてレコメンドサーバ３００により送信されたレコメンドリストを受信する（ステップＳ１７０６）。例えば、通信処理部２０５は、レコメンドサーバ３００からのレコメンドリストを受信する。
【００９０】
本携帯端末２００は、表示画面に、レコメンドリストを表示する（ステップＳ１７０８）。例えば、通信処理部２０５は、レコメンド情報管理部２０４に、レコメンドサーバ３００からのレコメンドリストを入力する。レコメンド情報管理部２０４は、UI制御部２０７に、通信制御部２０５からのレコメンドリストに含まれるレコメンドコンテンツ情報を入力する。UI制御部２０７は、表示画面に、レコメンド情報管理部２０４からのレコメンドコンテンツ情報を表示するように制御する。
【００９１】
ステップＳ１７０２において、レコメンド取得要求が入力されないと判定された場合（ステップＳ１７０２：ＮＯ）、本携帯端末２００は、次回端末ログアップロード時刻となったかどうかを判定する（ステップＳ１７１０）。例えば、レコメンドサーバ３００から次回端末ログアップロード時刻が送信されてもよい。該次回端末ログアップロード時刻は、通信処理部２０５により受信され、端末ログ管理部２０８に入力される。端末ログ管理部２０８は、当該端末装置により管理される日時情報に基づいて、次回端末ログアップロード時刻となったかどうかを判定する。
【００９２】
次回端末ログアップロード時刻となったと判定した場合（ステップＳ１７１０：ＹＥＳ），本携帯端末２００は、レコメンドサーバ３００に、コンテンツ保存状態、及び端末ログを送信する（ステップＳ１７１２）。例えば、端末ログ管理部２０８は、通信処理部２０５に、コンテンツ管理部２０２から入力されるべきコンテンツ保存状態、及び端末ログを入力する。通信処理部２０５は、レコメンドサーバ３００に、端末ログ管理部２０８により入力されるコンテンツ保存状態、及び端末ログを送信する。その後、ステップＳ１７０２に戻る。
【００９３】
次回端末ログアップロード時刻となっていないと判定した場合（ステップＳ１７１０：ＮＯ）、ステップＳ１７０２に戻る。
【００９４】
本実施例によれば、携帯端末の機種ごとの視聴ログから、機種と、該機種により対応できるコーデックとの対応を作成できる。該対応に基づいて、携帯端末にコンテンツリストを提供する際に、視聴可能なコーデックが使用されたコンテンツを選択することができる。コンテンツリストを提供する際に視聴可能なコーデックが使用されたコンテンツを選択することができるため、該コンテンツリストに従って取得したコンテンツは、携帯端末で再生・利用することが可能である。
【００９５】
各携帯端末で、再生・利用可能なコンテンツをレコメンドすることができるため、携帯端末では対応していないコーデックが利用されたコンテンツが保存されることがないため、携帯端末のメモリが圧迫されることを防止できる。また、携帯端末では対応していないコーデックが利用されたコンテンツが推薦されることがないため、ユーザにストレスを与えることを防止できる。
【００９６】
本実施例において、携帯端末と、該携帯端末により対応できるコーデックとを対応付けたテーブルと作成し、該テーブルに基づいて、レコメンドリストの提供先となる携帯端末により対応可能なコンテンツが選択されるようにしてもよい。
【００９７】
本情報通信サーバは、
携帯端末に、推薦すべきコンテンツを表す情報を含むレコメンドリストを通知するレコメンドサーバとしての、情報通信サーバであって、
携帯端末から、該携帯端末の識別情報を受信する無線通信処理部としての、受信部と、
該受信部により受信された識別情報に基づいて、前記携帯端末の種別を識別する各端末情報管理部としての、端末種別識別部と、
携帯端末からの端末ログに含まれるべき、該携帯端末の種別と、該携帯端末により視聴されたコンテンツのコンテンツＩＤとを取得する機種対応コーデックテーブル管理部としての、取得部と、
該取得部により取得されたコンテンツＩＤに対応するコンテンツに使用されているコーデックを特定する機種対応コーデックテーブル管理部としての、コーデック特定部と、
前記取得部により取得されるべき携帯端末の種別と、前記コーデック特定部により特定されるべきコーデックとを紐付けた端末種別・コーデック対応テーブルを作成する機種対応コーデックテーブル管理部としての、端末種別・コーデック対応テーブル作成部と、
該端末種別・コーデック対応テーブル作成部により作成された端末種別・コーデック対応テーブルに基づいて、前記端末種別識別部により識別された種別に対応するコーデックが使用されたコンテンツのコンテンツＩＤを含むレコメンドリストを作成するレコメンドリスト作成部と、
前記受信部により受信された端末識別情報に対応する携帯端末に、前記レコメンドリスト作成部により作成されたレコメンドリストを送信する無線通信処理部としての、送信部と
を有する。
【００９８】
さらに、
前記端末種別識別部により識別されるべき携帯端末の種別と、ユーザＩＤを紐付けた端末種別・ユーザＩＤ対応テーブルを作成する各端末情報管理部としての、端末種別・ユーザＩＤ対応テーブル作成部
を有し、
前記レコメンドリスト作成部は、前記端末種別・ユーザＩＤ対応テーブルに基づいて、ユーザＩＤに対応する携帯端末の種別に対応するコーデックが使用されたコンテンツのコンテンツＩＤを含むレコメンドリストを作成する。
【００９９】
さらに、
コンテンツに関するメタデータを管理するサーバから取得されるべきメタデータに基づいて、コンテンツと、該コンテンツに使用されているコーデックとの対応を表すコンテンツ・コーデック対応テーブルを作成するコンテンツコーデックリスト管理部としての、コンテンツ・コーデック対応テーブル作成部
を有し、
前記レコメンドリスト作成部は、前記コンテンツ・コーデック対応テーブル作成部により作成されたコンテンツ・コーデック対応テーブルに基づいて、前記端末種別識別部により識別された種別に対応するコーデックが使用されたコンテンツのコンテンツＩＤを含むレコメンドリストを作成する。
【０１００】
さらに、
携帯端末からの端末ログと、コンテンツに関するメタデータを管理するサーバから取得されるべきメタデータに基づいて、前記レコメンドリスト作成部により作成されるべきレコメンドリストに含まれるべきコンテンツの候補が含まれるレコメンド一次リストを作成するレコメンド一次リスト作成部
を有し、
前記レコメンドリスト作成部は、前記レコメンド一次リスト作成部により作成されたレコメンド一次リストに含まれるコンテンツから、前記端末種別識別部により識別された種別に対応するコーデックが使用されたコンテンツを選択する。
【０１０１】
さらに、
前記受信部は、携帯端末から、該携帯端末の識別情報として、IMEIを受信し、
前記端末種別識別部は、前記IMEIに含まれるTACに基づいて、該携帯端末の種別を識別する。
【０１０２】
さらに、
前記受信部は、携帯端末から、該携帯端末の識別情報として、IMEI-SVを受信し、
前記端末種別識別部は、前記IMEI-SVに含まれるTACに基づいて、該携帯端末の種別を識別する。
【０１０３】
本情報通信方法は、
携帯端末に、推薦すべきコンテンツを表す情報を含むレコメンドリストを通知する情報通信サーバにおける情報通信方法であって、
携帯端末から、該携帯端末の識別情報を受信する受信ステップと、
該受信ステップにより受信された識別情報に基づいて、前記携帯端末の種別を識別する端末種別識別ステップと、
携帯端末からの端末ログに含まれるべき、該携帯端末の種別と、該携帯端末により視聴されたコンテンツのコンテンツＩＤとを取得する取得ステップと、
該取得ステップにより取得されたコンテンツＩＤに対応するコンテンツに使用されているコーデックを特定するコーデック特定ステップと、
前記取得ステップにより取得されるべき携帯端末の種別と、前記コーデック特定ステップにより特定されるべきコーデックとを紐付けた端末種別・コーデック対応テーブルに基づいて、前記端末種別識別ステップにより識別された種別に対応するコーデックが使用されたコンテンツのコンテンツＩＤを含むレコメンドリストを作成するレコメンドリスト作成ステップと、
前記受信ステップにより受信された端末識別情報に対応する携帯端末に、前記レコメンドリスト作成ステップにより作成されたレコメンドリストを送信する送信ステップと
を有する。
【０１０４】
説明の便宜上、発明の理解を促すため具体的な数値例を用いて説明されるが、特に断りのない限り、それらの数値は単なる一例に過ぎず適切な如何なる値が使用されてよい。
【０１０５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１０６】
１０  メタデータ管理サーバ
２０  携帯端末
３０  レコメンドサーバ
３５  通信基地局
４０  コンテンツ配信サーバ
４５  放送波基地局
１００  メタデータ管理サーバ
２００ｎ（ｎは、ｎ＞０の整数）  携帯端末
２０１  放送波受信部
２０２  コンテンツ管理部
２０３  予約制御部
２０４  レコメンド情報管理部
２０５  通信処理部
２０６  コンテンツ再生部
２０７  UI(User Interface)制御部
２０８  端末ログ管理部
３００  レコメンドサーバ
３０１  無線通信処理部
３０２  レコメンドリスト作成部
３０３  各端末情報管理部
３０４  レコメンド一次リスト作成部
３０５  レコメンド計算部
３０６  有線通信処理部
３０７  コンテンツコーデックリスト管理部
３０８  機種対応コーデックテーブル管理部
３５０  通信基地局
４００  コンテンツ配信サーバ
４５０  放送波基地局
【図１】
0005659027.tif 000002
【図２】
0005659027.tif 000003
【図３】
0005659027.tif 000004
【図４】
0005659027.tif 000005
【図５】
0005659027.tif 000006
【図６】
0005659027.tif 000007
【図７】
0005659027.tif 000008
【図８】
0005659027.tif 000009
【図９】
0005659027.tif 000010
【図１０】
0005659027.tif 000011
【図１１】
0005659027.tif 000012
【図１２】
0005659027.tif 000013
【図１３】
0005659027.tif 000014
【図１４】
0005659027.tif 000015
【図１５】
0005659027.tif 000016
【図１６】
0005659027.tif 000017
【図１７】
0005659027.tif 000018